(57)【要約】【課題】  ヘアケア装置本体の内部にある部品の保守・交換のため、ヘアケア装置本体本体に開口部を備えたヘアケア装置において、部品の保守・交換時にもし通電状態であれば感電や怪我を被る可能性がある。【解決手段】  ファン、ヒータを有するヘアケア装置本体と、該ヘアケア装置本体にある開口部を覆う着脱可能なカバー部材と、前記ヘアケア装置本体から前記カバー部材が取り外された場合に電源を遮断する電源遮断部とを備えた。【選択図】図１
2013075139.tif 000002
【特許請求の範囲】
【請求項１】
ファン、ヒータを有するヘアケア装置本体と、該ヘアケア装置本体にある開口部を覆う着脱可能なカバー部材と、前記ヘアケア装置本体から前記カバー部材が取り外された場合に電源を遮断する電源遮断部と、を備えたヘアケア装置。
【請求項２】
ファン、ヒータを有するヘアケア装置本体と、該ヘアケア装置本体にある開口部を覆う着脱可能なカバー部材と、前記ヘアケア装置本体から前記カバー部材の取り外しが開始された時から前記取り外しが完了されるまでの間に電源を遮断する電源遮断部と、を備えたヘアケア装置。
【請求項３】
ファン、ヒータを有するヘアケア装置本体と、該ヘアケア装置本体にある開口部を覆う着脱可能なカバー部材と、前記ヘアケア装置本体から前記カバー部材を取り付けることで通電が可能となる電源遮断部と、を備えたヘアケア装置。
【請求項４】
ファン、ヒータを有するヘアケア装置本体と、該ヘアケア装置本体にある開口部を覆う着脱可能なカバー部材と、前記ヘアケア装置本体から前記カバー部材が取り付けられたことを検知する検知手段と、該検知手段が前記ヘアケア装置本体に前記カバー部材が取り付けられたことを検知した後一定時間を経てから通電が可能となる電源遮断部と、を備えたヘアケア装置。
【請求項５】
前記ヘアケア装置本体の内部にある部品の通電状態を表示する表示手段をさらに備えたことを特徴とする請求項１から４のいずれかに記載のヘアケア装置。
【請求項６】
前記部品が動作しなくなった場合に、前記表示手段の表示状態を変化させることを特徴とする請求項５に記載のヘアケア装置。
【請求項７】
前記部品がイオンを発生させるイオン発生器であり、該イオン発生器は前記ヘアケア装置本体から前記カバー部材を取り外した場合に前記開口部から露出する位置に設けられたことを特徴とする請求項５または６に記載のヘアケア装置。
【請求項８】
前記イオン発生器が発生させたイオン量を検出するイオン検出装置をさらに備え、該イオン検出装置が検出したイオン量が一定値以下の場合は前記表示手段の表示状態を変化させることを特徴とする請求項７に記載のヘアケア装置。
【請求項９】
前記イオン発生器は前記ファンより下流側に配置され、前記ファンと前記イオン発生器との間に異物の通過を遮蔽する異物遮蔽部を備えたことを特徴とする請求項７または８に記載のヘアケア装置。
【請求項１０】
前記イオン発生器をスライドできるレールと、前記イオン発生器を固定させる支持部と、前記支持部を前記イオン発生器から外すと前記ヘアケア装置本体の開口部へ前記イオン発生器を押し出すバネと、をさらに備えたことを特徴とする請求項７から９のいずれかに記載のヘアケア装置。
【請求項１１】
前記ヘアケア装置本体から前記カバー部材が完全に取り外されるまでの間に前記ファンの回転が完全に停止する時間を要する取り外し機構をさらに備えたことを特徴とする請求項１から１０のいずれかに記載のヘアケア装置。
【請求項１２】
前記取り外し機構は前記ヘアケア装置本体と前記カバー部材に設けられたネジ状の溝であり、前記ヘアケア装置本体に対して前記カバー部材を回転させることによって着脱を可能としたことを特徴とする請求項１１に記載のヘアケア装置。
【請求項１３】
前記取り外し機構は前記ファンの回転を検知する回転検知手段と、前記ヘアケア装置本体から前記カバー部材の取り外しを制限するストッパを有し、前記ファンの回転が完全停止したことを前記回転検知手段が検知すると前記ストッパが解除され前記カバー部材が取り外し可能になることを特徴とする請求項１１に記載のヘアケア装置。
【請求項１４】
前記電源遮断部が磁石を有するスイッチであることを特徴とする請求項１から１３のいずれかに記載のヘアケア装置。
【請求項１５】
前記電源遮断部がプッシュスイッチであることを特徴とする請求項１から１３のいずれかに記載のヘアケア装置。
【請求項１６】
前記カバー部材の一部もしくは全部が吸気フィルタであることを特徴とする請求項１から１５のいずれかに記載のヘアケア装置。
【発明の詳細な説明】
【技術分野】
【０００１】
本発明は、ヘアケア装置本体の内部にある部品の保守・交換のため、ヘアケア装置本体にある開口部を覆う着脱可能なカバー部材を備えたヘアケア装置に関する。
【背景技術】
【０００２】
従来より、ヘアケア装置において、回転駆動するファンによって、吸入口から吸い込んだ空気を吐出口に向けて送り出すにあたり、ゴミやホコリ、毛髪等が吸入口から吸い込まれることを防止するため、吸入口付近にフィルタが設置されている。
【０００３】
例えば、特許文献１では、３つのフィルタを吸入口からファンの間に取り付けた加熱送風装置が開示されている。吸入口に第１のフィルタが取り付けられ、加熱送風装置の本体内部に第２のフィルタを設置し、かつ当該両フィルタは着脱可能にされている。吸入口に設置された第１のフィルタに対し、第２のフィルタは、吸入側となる第１のフィルタと比べ、開口率を低くすることで細かい異物が捕獲できるようになっている。さらに、第２のフィルタとファンの間に第３のフィルタが固定されており、第１のフィルタと第２のフィルタを取り外した場合において、指等が回転ファンに接触するのを防止し、取り外しの際の安全性を確保している。
【先行技術文献】
【特許文献】
【０００４】
【特許文献１】特開２００８−３０７２２１号公報
【発明の概要】
【発明が解決しようとする課題】
【０００５】
しかし、フィルタが設置されていたとしても、例えば固定フィルタより吸入側（上流側）に保守・交換が必要な部品がある場合、もしくは取り外し可能なフィルタより吐出側（下流側）に保守・交換が必要な部品がある場合において、保守・交換時にもし通電状態であれば感電や怪我を被る可能性がある。
【０００６】
本発明は、上記の点に鑑みてなされたものであり、着脱時の安全性の向上を目的とする。
【課題を解決するための手段】
【０００７】
本発明は上記課題を解決するために、ファン、ヒータを有するヘアケア装置本体と、該ヘアケア装置本体にある開口部を覆う着脱可能なカバー部材と、前記ヘアケア装置本体から前記カバー部材が取り外された場合に電源を遮断する電源遮断部と、を備えたヘアケア装置の構成を有する。
【０００８】
また、ファン、ヒータを有するヘアケア装置本体と、該ヘアケア装置本体にある開口部を覆う着脱可能なカバー部材と、前記ヘアケア装置本体から前記カバー部材の取り外しが開始された時から前記取り外しが完了されるまでの間に電源を遮断する電源遮断部と、を備えたヘアケア装置の構成を有していてもよい。
【０００９】
これらの構成によって、ヘアケア装置本体からカバー部材が取り外された時点で、内部で動作している部品の電源が遮断するため、使用者の感電や怪我の危険性を低減できる。
【００１０】
また、ファン、ヒータを有するヘアケア装置本体と、該ヘアケア装置本体にある開口部を覆う着脱可能なカバー部材と、前記ヘアケア装置本体から前記カバー部材を取り付けることで通電が可能となる電源遮断部と、を備えたヘアケア装置の構成を有していてもよい。
【００１１】
本構成によって、ヘアケア装置本体の内部にある部品を保守・交換した後、ヘアケア装置本体にカバー部材を取り付けるだけで通電が可能な状態になるため、使用者は保守・交換の煩わしさを軽減できる。
【００１２】
また、ファン、ヒータを有するヘアケア装置本体と、該ヘアケア装置本体にある開口部を覆う着脱可能なカバー部材と、前記ヘアケア装置本体から前記カバー部材が取り付けられたことを検知する検知手段と、該検知手段が前記ヘアケア装置本体に前記カバー部材が取り付けられたことを検知した後一定時間を経てから通電が可能となる電源遮断部と、を備えたヘアケア装置の構成を有していてもよい。
【００１３】
本構成によって、ヘアケア装置本体にカバー部材を取り付けても即時に通電しないため、例えば使用者がカバー部材を取り付ける際に、あやまって通電部や発熱部を接触していたとしても、比較的余裕をもって離すことができる。これにより、使用者の感電や怪我の可能性を低減できる。
【００１４】
また、前記ヘアケア装置本体の内部にある部品の通電状態を表示する表示手段をさらに備えたヘアケア装置であってもよい。
【００１５】
本構成によって、使用者がヘアケア装置本体の内部にある部品を保守・交換する場合に、内部の通電状態を確認できるため、安全を意識したタイミングでカバー部材を着脱できる。その結果、感電や怪我の危険性を低減できる。
【００１６】
また、前記部品が動作しなくなった場合に、前記表示手段の表示状態を変化させるヘアケア装置であってもよい。
【００１７】
さらに、前記部品がイオンを発生させるイオン発生器であり、該イオン発生器は前記ヘアケア装置本体から前記カバー部材を取り外した場合に前記開口部から露出する位置に設けられたヘアケア装置であってもよい。
【００１８】
さらに、前記イオン発生器が発生させたイオン量を検出するイオン検出装置をさらに備え、該イオン検出装置が検出したイオン量が一定値以下の場合は前記表示手段の表示状態を変化させるヘアケア装置であってもよい。
【００１９】
これらの構成によって、イオン発生器の劣化を使用者が検知できるだけでなく、ヘアケア装置本体からカバー部材を取り外せばイオン発生器が確認できるため、簡単にイオン発生器の保守・交換が可能となり、使用者の利便性が向上する。
【００２０】
また、前記イオン発生器は前記ファンより下流側に配置され、前記ファンと前記イオン発生器との間に異物の通過を遮蔽する異物遮蔽部を備えたヘアケア装置であってもよい。
【００２１】
本構成によって、もしイオン発生器の保守・交換時に異物が混入した場合において、ヘアケア装置本体にカバー部材を取り付けたことで通電したときであっても、異物遮蔽部によって異物がファンの通過を遮るため、ヘアケア装置の故障を抑制できる。
【００２２】
また、前記イオン発生器をスライドできるレールと、前記イオン発生器を固定させる支持部と、前記支持部を前記イオン発生器から外すと前記ヘアケア装置本体の開口部へ前記イオン発生器を押し出すバネと、をさらに備えたヘアケア装置であってもよい。
【００２３】
本構成によって、使用者がイオン発生器の保守・交換をする場合において、イオン発生器の取り外しが容易に行える。また、使用者がイオン発生器を取り付ける場合において、支持部がイオン発生器を固定させるため、イオン発生器にあるＤＣコネクタの差し込み口が正常に接続される。よって、ＤＣコネクタの差し込み部分からの漏電による故障や火災などを防止できる。
【００２４】
また、前記ヘアケア装置本体から前記カバー部材が完全に取り外されるまでの間に前記ファンの回転が完全に停止する時間を要する取り外し機構をさらに備えたヘアケア装置であってもよい。
【００２５】
さらに、前記取り外し機構は前記ヘアケア装置本体と前記カバー部材に設けられたネジ状の溝であり、前記ヘアケア装置本体に対して前記カバー部材を回転させることによって着脱を可能としたヘアケア装置であってもよい。
【００２６】
さらに、前記取り外し機構は前記ファンの回転を検知する回転検知手段と、前記ヘアケア装置本体から前記カバー部材の取り外しを制限するストッパを有し、前記ファンの回転が完全停止したことを前記回転検知手段が検知すると前記ストッパが解除され前記カバー部材が取り外し可能になるヘアケア装置であってもよい。
【００２７】
これらの構成によって、使用者がカバー部材の取り外す場合において、電源遮断後でも惰性回転するファンによるゴミやホコリ、毛髪等の吸い込みを防止することができる。
【００２８】
また、前記電源遮断部が磁石を有するスイッチであるヘアケア装置でもよい。
【００２９】
本構成によって、プッシュスイッチを設置しなくてもヘアケア装置本体からカバー部材の着脱が可能になるだけでなく、着脱に連動した電源の遮断が可能になるため、使用者の感電や怪我の危険性を低減でき、かつコスト削減が可能となる。
【００３０】
また、前記電源遮断部がプッシュスイッチであるヘアケア装置でもよい。これにより、カバー部材の一部がプッシュスイッチの凸部を押さえつけるだけで済むため、構造を簡単化できる。
【００３１】
また、前記カバー部材の一部もしくは全部が吸気フィルタであるヘアケア装置でもよい。これにより、吸気フィルタの取り外しだけでヘアケア装置本体の内部にある部品の保守・交換が行えるため、構造を簡単化できる。
【発明の効果】
【００３２】
本発明によれば、ヘアケア装置本体の内部にある部品の保守・交換において、使用者の感電や怪我の危険性を低減できる。
【図面の簡単な説明】
【００３３】
【図１】本発明の実施形態１に係るヘアケア装置の側面透視図である。
【図２】本発明の実施形態１に係るヘアケア装置の正面図である。
【図３】本発明の実施形態１に係るヘアケア装置の背面図である。
【図４】本発明の実施形態１に係るイオン発生器の斜面図である。
【図５】本発明の実施形態１に係るイオン発生器の配置を示す図である。
【図６】本発明の実施形態１に係るヘアケア装置の着脱に関する斜面図である。
【図７】本発明の実施形態１に係るヘアケア装置本体とカバー部材の着脱部に関する斜面図である。
【図８】本発明の実施形態２に係るイオン検出装置の配置を示すヘアケア装置の側面透視図である。
【図９】本発明の実施形態３に係る異物遮蔽部の配置を示すヘアケア装置の側面透視図である。
【図１０】本発明の実施形態３に係るヘアケア装置の背面図である。
【図１１】本発明の実施形態４に係るヘアケア装置本体とカバー部材の着脱部に関する側面透視図である。
【図１２】本発明の実施形態４に係るイオン発生器の着脱部に関する側面図である。
【図１３】本発明の実施形態５に係るヘアケア装置の側面透視図である。
【図１４】本発明の実施形態５に係るヘアケア装置本体とカバー部材の着脱部に関する上面透視図である。
【図１５】本発明の実施形態６に係るヘアケア装置本体とカバー部材の着脱部に関する側面透視図である。
【図１６】本発明の実施形態７に係るヘアケア装置本体とカバー部材の着脱部に関する斜面図である。
【発明を実施するための形態】
【００３４】
以下、本発明の実施形態について、図面に基づいて説明する。
【００３５】
〔実施形態１〕
図１は、本発明の実施の形態１に係るヘアケア装置の構成を示す側面透視図である。
【００３６】
本実施形態に係るヘアケア装置の主な構成として、ノズル１、本体２、吸気フィルタ３（カバー部材）、そして、ハンドル４から成る。
【００３７】
ノズル１は、ヘアケア装置の風を一定方向に吐出する。本体２は、加熱手段、送風手段、イオンを放出する放電手段を内部に有する。さらに、本体２から吸気フィルタ３を取り外すことで電源を遮断する電源遮断手段を備える。吸気フィルタ３は、本体２へ取り付けが可能であり、吸気フィルタ３と電源遮断手段が連動している。ハンドル４は、電源のオン・オフ手段や、風量・温度調整手段を備える。
【００３８】
本体２には、加熱手段である図示しないヒータユニットを有する温風流路５を備え、さらに仕切り板７を跨いで、冷風を送風する冷風流路６を備える。温風流路５及び冷風流路６の上流側には、送風手段として回転ファン８を備える。回転ファン８のさらに上流側に、電源遮断手段となるプッシュスイッチ９、イオン発生器１０、ＬＥＤ１１、イオン発生器用基板１２を備える。
【００３９】
ここで、上記イオン発生器１０の代わりに、ミストタンクが設置されている場合であってもよく、また、イオン発生器１０とミストタンクの両部品が設置されていてもよい。
【００４０】
ハンドル４には、電源オン・オフを制御するスイッチ１５だけでなく、「低温モード」を選択するスイッチ１３や、風量を上げるためのターボ機能をオン・オフするスイッチ１４も備える。本実施形態の電源スイッチ１５はオン・オフだけでなく、「クール」、「セット」、「ドライ」といった３種類のモードを備え、「セット」と「ドライ」ではヒータユニットにより温風を吐出している。この場合、低温モードを選択していなければ、髪や地肌に７５℃〜９０℃の熱風があたることになる。しかし、本来髪や地肌に７０℃を超える熱風を長時間あてると、ヤケド等のダメージを受けてしまう。そのため、本実施形態のヘアケア装置では、５０℃〜６０℃の髪や地肌にやさしい「低温モード」を選択できるスイッチ１３が設けられている。
【００４１】
図２は、本実施形態のヘアケア装置の正面図である。吐出口のノズル１の上流側には、使用者が本体内部のヒータユニットによってヤケドしないよう、図のような網目状の格子部材が取り付けられている。
【００４２】
図３は、本実施形態のヘアケア装置の背面図である。図３（ａ）は吸気フィルタ３が取り付けられている状態を示し、図３（ｂ）は吸気フィルタ３が外された状態を示している。吸気フィルタ３が取り外されると、吸気フィルタ３によって押さえられていたプッシュスイッチ９が解除される。プッシュスイッチ９は電源と連動しており、プッシュスイッチ９が押された状態では電源はオン状態であり、解除された状態で電源がオフとなる。そのため、吸気フィルタ９を取り外すと電源が強制的にオフとなり、イオン発生器１０を安全に取り外すことが可能となる。
【００４３】
ここで、イオン発生器１０について説明する。図４は、イオン発生器１０の斜視図である。イオン発生器１０は、針電極１６と誘導電極１７からなるイオン発生部を２つ有している。各イオン発生部は、針電極１６は先端が尖った針形状であり、その周囲を囲むように円形の誘導電極１７が配置され、両電極間の間隔は８ｍｍになっている。針電極１６は誘導電極１７に対し１０ｍｍほど突出している。これにより針電極１６の先端で発生したイオンが送風時に効率よく取り出されるようになる。また、針電極１６が突出しているため、安全のために保護機構１８を前面に設け針電極１６に直接触れられないようにしている。
【００４４】
イオンは、例えば、針電極１６に実効電圧＋２ｋV以上の電圧と０Vが切り替わる６０Ｈｚの交流を印加し、誘電電極１７をグラウンド電位にすることにより発生する。針電極１６に実効電圧＋２ｋV以上が印加されているときに誘電電極１７との間の電位差によりコロナ放電が起こり、針電極１６の先端部近傍で空気中の水分子が電離して水素イオン（Ｈ＋）が生成する。この水素イオンが空気中の水分子と群状態で結合（クラスタリング）し、Ｈ＋（Ｈ２Ｏ）ｍ（ｍは任意の自然数）から成るプラスイオンが発生する。
【００４５】
また、針電極１６に実効電圧−２ｋＶ以下の電圧と０Ｖが切り替わる６０Ｈｚの交流を印加し、誘電電極１７をグラウンド電位にすることによりマイナスイオンが発生する。このマイナスイオンは、空気中の酸素分子又は水分子が解離して酸素イオンＯ２−が生成する。この酸素イオンが空気中の水分子とクラスタリングして、Ｏ２−（Ｈ２Ｏ）ｎ（ｎは０または任意の自然数）から成るマイナスイオンが発生する。
【００４６】
但し、プラスイオンとマイナスイオンのイオン種を特定する必要はなく、正もしくは負に帯電した原子もしくは分子であればよい。また、プラスイオンとマイナスイオンの両方が必要ではなく、例えばマイナスイオンのみであってもよい。
【００４７】
本実施形態では、イオン発生器１０はイオン発生部を２つ有しており、各イオン発生部はプラスイオン発生部とマイナスイオン発生部となっている。そのため、プラスイオンとマイナスイオンが同時に放出され、回転ファン８により作りだされる空気の気流に乗って下流へと流れる。
【００４８】
電極１６、１７は回転ファン８側に配置されている。本来は電極１６、１７が気流に対して垂直になるように、つまり図２にて針電極１６が上又は下を向くような方向に配置することが好ましい。しかし、本実施形態で用いるイオン発生器は、図４に示すように電極があるイオン発生面が横長で針電極１６方向の奥行きが長いため、吸気口（吸気フィルタ３）をさえぎる配置としては好ましくない。よって、本実施形態では、電極１６、１７が気流に対して平行になるよう配置する。このようなレイアウトにしたのは下記に示す実験によりイオンの発生量やホコリによる影響などを考慮した結果である。
【００４９】
図５はヘアケア装置の試作機におけるイオン発生器の配置を示す図である。図５（ａ）から（ｃ）に示す３つの配置で吐出口２０から出てくるイオンの発生量を調べた。なお、この実験はイオンの発生傾向を調べるために行ったものであり、図４に示したイオン発生器とは異なるものを用いて行った。イオンの発生量を表１に示す。
【００５０】
図５(ａ)に示すように、イオン発生器１０を矢印で示す風の流れに対し直交する方向に電極を配置した場合、表１に示すように９５万個／ｃｃから１２０万個／ｃｃのイオンが出ており、送風される空気中のイオン濃度がもっとも濃い。ここでは、通常の送風量のときと（ＮＯＲＭＡＬ）、送風量が多い状態（ＴＵＲＢＯ）の２つの状態で実験を行った。なお、図では電極が下向きになっているが上向きでもほぼ同じ結果が得られる。
【００５１】
図５（ｂ）は風の向きに対し風下の方に電極は配置されている。この場合でも、９０万個／ｃｃから１１０万個／ｃｃのイオンが出ており実用上問題のない量のイオンが吐出口１９から吐き出される。
【００５２】
また、図５（ｃ）は風の向きに対し風上の方に電極は配置されている。この場合でも、９５万個／ｃｃから１０５万個／ｃｃのイオンが出ており実用上問題のない量のイオンが吐出口１９から吐き出される。
【００５３】
【表１】
2013075139.tif 000003
このように、吐き出されるイオンの量はどのように配置しても十分な量が得られるため、イオン発生器１０により吸入口が遮られることで送風量が落ちないように、図５（ｂ）又は図５（ｃ）のように配置することが好ましい。特に、電極にホコリが直接つきにくい図５（ｂ）の配置が好ましい。そのため、本実施形態では図１などに示すように図５（ｂ）のレイアウトにイオン発生器１０を配置している。
【００５４】
なお、吐き出されるプラスイオンとマイナスイオンはほぼ同数、若しくはマイナスイオンの方が多いことが望ましい。プラスイオンとマイナスイオンの数のバランスが取れている方が、ＯＨラジカルが発生する確率が高くなる。髪はプラスに帯電しているためマイナスイオンが多い方が髪のきしみや傷みを防止することができるため好ましい。
【００５５】
下流に送風されたイオンは吐出口１を経由して髪に送風される。髪はブラッシングによりプラスに帯電しやすいため、マイナスイオンにより静電気の発生を防止し髪の傷みを改善することができる。また、プラスイオンによりプラスに帯電したブラシの静電気の発生を防止し髪の傷みを改善することができる。さらに、水分子と結合したイオンを髪に当てることにより、ナノやマイクロレベルの小さな水分子により髪に水分を浸透させることができ、しっとりとした髪を得ることができる。
【００５６】
さらに、本実施形態のイオン発生器１０を用いるとプラスイオンとマイナスイオンが頭皮に付着し、両者が反応しＯＨラジカルを作る。ＯＨラジカルは、育毛のさまたげになっている頭皮に残っているシャンプーやリンスの残りかすを酸化させ、二重結合を断ち切る。これにより育毛に最適な頭皮な作る手助けをすることができる。なお、ＯＨラジカルは不安定であるためナノ秒単位でしか存在することができない。そのためＯＨラジカルをイオン発生器１０で作りだしても頭皮に届く前に消滅してしまう。しかし、本実施形態のようにプラスイオンとマイナスイオンをイオン発生器１０で作りだし、頭皮で両者を反応させることにより効果的に頭皮でＯＨラジカルを作り出すことができる。また、ＯＨラジカルは除菌消臭効果もある。
【００５７】
また、本実施形態では、図４のイオン発生器１０の背面の下方にＬＥＤ１１を配置した。このＬＥＤ１１は、ヘアケア装置の電源がオンされ、本体内の部品が通電（動作）している状態で点灯する。これにより、使用者は本体内部の部品の動作状態を把握し、ヘアケア装置が動作中かどうか確認できるため、意識的に電源をオフにした後に、吸気フィルタ３を着脱できる。よって、感電や怪我の危険性を低減できる。
【００５８】
図６は、本実施形態のヘアケア装置の斜視図を示す。イオン発生器１０は、針電極１６にホコリやヘアスプレーに含まれるシリコン等の異物が付着すると、イオンの発生量が減少し、イオンの効果が十分に得られなくなるという問題がある。そのため、針電極１６にホコリやシリコン系異物の付着に対し、清掃を行うかもしくはイオン発生器１０を交換する必要がある。図６（ａ）は、本体２からカバー部材である吸気フィルタ３を取り外す具体的な構成を示す。
【００５９】
ここで、図６（ａ）の取り外し部を図７で拡大した。本実施形態では、本体２の凹部２１とカバー部材である吸気フィルタ３の凸部２２をかみ合わせることで固定させている。また、吸気フィルタ３には凸棒２３が取り付けられており、本体２との設置によってプッシュスイッチ９が押さえられるため、吸気フィルタ３が取り付けられている場合のみ、本体内の部品は通電状態となる。よって、例えば使用者が吸気フィルタ３を取り外した状態で電源スイッチ１５をオン状態に操作し、その状態のままイオン発生器１０を清掃・交換しようとした場合であっても、内部の部品は通電しないため感電等の危険を防止できる。また、吸気フィルタ３の取り外しによって、回転ファン８の動作も停止するため、取り外し後のゴミやホコリ、毛髪等の吸い込みを軽減できる。よって、特許文献１のように、固定フィルタを必ずしも設置する必要がなくなり、コスト削減が見込める。さらに、固定フィルタの削減により、風量アップが期待できる。
【００６０】
本実施形態では、別々になっている本体２と吸気フィルタ３を取り付けることによって通電が可能となる。そのため、本体２の電源スイッチ１５をオンにした上で吸気フィルタ３を取り付けると、ヘアケア装置が動作するようにしてもよい。
【００６１】
また、本体２の電源スイッチ１５をオンにした上で吸気フィルタ３を取り付けプッシュスイッチ９がオフからオンになった場合、プッシュスイッチ９のオンを図示しないマイコン等が検知後、一定時間を経てから通電可能にしてもよい。
【００６２】
この場合、本体２と吸気フィルタ３を取り付けても即時に通電しないため、例えば使用者が吸気フィルタ３を取り付ける際に、あやまって通電部や発熱部を接触していたとしても、比較的余裕をもって離すことができる。これにより、使用者の感電や怪我の可能性を低減できる。
【００６３】
また、本実施形態では、ヘアケア装置から吸気フィルタ３とイオン発生器１０を取り外せば、回転ファン８の清掃等のメンテナンスが可能となる。
【００６４】
従来より、ヘアケア装置の回転ファンは、静電気の帯電により吸気フィルタで取り除けなかったゴミやホコリ、毛髪等が付着するといった問題があった。そのため、使用者は本体内に設置された回転ファンを掃除したいといいう願望があった。しかし、吸気フィルタを取り外せるものの、電源遮断手段がない場合、回転ファンが剥き出しとなるため、使用者が怪我をするおそれがある。また、本体内にゴミやホコリ、毛髪等を吸い込んでしまうといった問題も発生する可能性がある。
【００６５】
ここで、吸気フィルタ３と回転ファン８の間に取り外し可能な第２のフィルタを設置することも想定できる。この構成であれば、吸気フィルタ３で捕集できなかったゴミやホコリ、毛髪等を第２のフィルタで捕集でき、なおかつ第２のフィルタを取り外すことで回転ファン８の掃除等も可能となる。しかし、使用者が電源を切らずに第２のフィルタを外してしまえば、同様の問題が発生する。よって、吸気フィルタ３の取り外しによって、プッシュスイッチ９が開放されることにより電源を遮断する構成にすれば、上記問題が解決できる。
【００６６】
次に、図６（ｂ）は、本体内にある部品の保守・交換の例として、イオン発生器１０を取り外す構成を示す。本実施形態において、イオン発生器１０は図４のようにＬＥＤ１１と一体型になっている。また、ＬＥＤ１１のまわりにある出っ張りに手をひっかけ、引っ張れば取り外せる構成にしている。ここで、イオン発生器１０は、本体側にあるＤＣコネクタが差し込み口１９（図４参照）に接続されることで通電する。
【００６７】
〔実施の形態２〕
図８に実施形態２に係るヘアケア装置の側面透視図を示す。本実施形態では、イオン発生器１０の下流側端部に設置されたイオン検出装置３０を有する。イオン検出装置３０は、空気中のイオンを捕集する捕集電極の電位を計測する計測部を有し、該計測部が計測した電位に基づいてマイナスイオンを検出する。
【００６８】
捕集電極は、イオンを捕集する略矩形の板状電極からなり、マイナスイオンを重点的に検出するためにイオン発生器１０の下流の直近に配置されている。捕集電極の電極面はイオンが回転ファン８によって吸い込まれる流路に面している。計測部では、捕集電極をプラスの所定電位にプルアップする抵抗を有しており、さらにコンデンサが並列接続されている。マイナスのイオンを捕集すると、該イオンの有する負の電荷が、捕集電極回路内にあるコンデンサを充電するために、コンデンサ及び抵抗の接続点の電位が低下する。この電位変化量を定期的に計測し、電位変化量が閾値以下になった場合、マイナスイオンが放出されていないと判断する。
【００６９】
本実施形態では、ＬＥＤ１１をイオン発生のインジケータとして利用した。具体的には、図４のイオン発生器１０の背面下方に設置したＬＥＤ１１は、イオン検出装置３０がマイナスイオンを発生していないと判断した場合に消灯するようにした。
【００７０】
イオン発生器１０はコロナ放電によりイオンを発生しており、稼動が長期にわたることで、針電極１６の先端部分から金属イオンが放出し針電極１６が減少する、その針電極１６から放出された金属イオンがコロナ放電に伴うスパッタ蒸着によって放電電極１７が損傷する、又は化学物質、チリ、ホコリ等の異物が放電電極に累積的に付着した場合などの要因により、イオンの発生量が減少してイオン発生器１０が機能しなくなるという問題がある。しかし、イオンは目に見えないためイオンが発生しているかどうか視覚的に判断することはできない。また、イオン発生器１０はコロナ放電を利用しており、いわゆる有音放電であるため、放電時には「チリチリ」というような音を発するが、この放電音はイオンが発生していなくても放電が起こっていれば発するため、聴覚による判断も難しい。よって、本体２の内部にあるイオン発生器１０の下流側端部に、マイナスイオン濃度を検知するセンサをイオンの空気流路を妨げないよう設置し、マイナスイオンの検出量が閾値以下になればＬＥＤを消灯させる。
【００７１】
ここで、ヘアケア装置の電源状態を示すＬＥＤと、イオン検出結果を示すＬＥＤを一緒に設置してもよく、また複数色のＬＥＤを用い、電源オン・オフ状態及びイオン検出状態を示してもよい。
【００７２】
〔実施の形態３〕
図９は実施形態３に係るヘアケア装置の側面透視図であり、図１０はヘアケア装置の背面図である。図１０（ａ）は吸気フィルタ３が取り付けられている状態を示し、図１０（ｂ）は吸気フィルタ３が外された状態を示している。吸気フィルタ３が取り外されると、吸気フィルタ３によって押さえられていたプッシュスイッチ９が解除されることで電源がオフとなる。図９（ｂ）には異物遮蔽部７０が本体内の回転ファン８より上流側に取り付けられている。
【００７３】
本実施形態において、もしイオン発生器１０の保守・交換時に異物が混入されたにも関わらず本体２に吸気フィルタ３を取り付け、電源をオンにした場合であっても、異物遮蔽部７０によって異物が回転ファン８の通過を遮るため、ヘアケア装置の故障を抑制できる。よって、例えば幼児がヘアケア装置の吸気フィルタを取り外し、本体内にゴムボールやオモチャ等を入れた状態で吸気フィルタを取り付けたとしても、ゴムボールやオモチャ等が回転ファン８に絡まることを抑制できるため、即座に故障してしまうといったことを抑制できる。さらに、指がファンにまで届かないため、怪我の抑制にもなる。
【００７４】
〔実施の形態４〕
図１１は実施形態４に係る本体とカバー部材である吸気フィルタ３の着脱部の側面透視図であり、図１２はイオン発生器の着脱部に関する側面図である。
【００７５】
本実施形態では、吸気フィルタ３の着脱において、吸気フィルタ３の着脱に連動したイオン発生器１０の着脱構成について示す。
【００７６】
図１１に示すように、イオン発生器１０はバネ５０により本体２から取り外せるようになっている。まず、図１１（ａ）に示すように、イオン発生器１０は本体２に配置されている。本実施形態ではイオン発生器１０の前面にバネ５０があり、イオン発生器１０によりバネは縮められた状態になっている。さらに、イオン発生器１０は吸気フィルタ３に固定された支持部５１で押さえられている。吸気フィルタ３を図１１（ｂ）のように矢印方向に取り外すと、イオン発生器１０はバネ５０の伸びる力により押し出される。再びイオン発生器１０を戻すときは、イオン発生器１０をスライド板５２内にはめ込んだ上で吸気フィルタ３を取り付ければよい。
【００７７】
このように、簡単な構成で吸気フィルタ３の取り外しに連動して、イオン発生器１０も取り外せるため、使用者がイオン発生器の保守・交換を容易に行える。
【００７８】
また、他の構成として、図１２のように、イオン発生器１０の支えを支持用爪５３に変えてもよい。支持用爪５３を図１２（ｂ）の矢印方向に動かすとイオン発生器１０はバネ５０の伸びる力により押し出される。再びイオン発生器１０を戻すときは、イオン発生器１０を元の位置に戻し、バネ５０を押し、支持用爪５３をひっかければよい。
【００７９】
また、イオン発生器１０を取り付ける場合に、支持用爪５３が引っ掛かる位置までイオン発生器１０を押し込める必要があるが、この構成であればイオン発生器１０の前面にあるＤＣコネクタの差し込み口（図４参照）が奥まで接続される。よって、ＤＣコネクタとイオン発生器１０の差し込み部分からの漏電による故障や火災などを防止できる。
【００８０】
〔実施の形態５〕
図１３は実施形態５に係るヘアケア装置の側面透視図であり、図１４は本実施形態に係るヘアケア装置の本体２とカバー部材である吸気フィルタ３の着脱部に関する上面透視図である。
【００８１】
実施形態１、実施形態４のように本体２から吸気フィルタ３を取り外す場合において、電源遮断手段によって電源が遮断した場合であっても、回転ファン８が惰性により１秒程度回転する。そのため、実施形態３のように吸気フィルタ３と回転ファン８の間に異物遮蔽部７０がない場合、使用者が回転ファン８に接触する危険性が僅かながら残る。また、回転ファン８が停止していない間に吸気フィルタ３を取り外すと、本体内にゴミやホコリ、毛髪等の吸い込みも懸念される。そのため、本実施形態では、吸気フィルタの取り外しに１秒程度の時間を費やす構成にする。
【００８２】
例えば、図１３に示すように、ネジ溝８０による取り外しであれば、吸気フィルタ３が完全に取り外されるまで、１秒程度はかかるようになる。また、ネジ溝８０の量により、取り外し時間の調整が可能である。また、図１４のように本体２と吸気フィルタ３を上面から見た場合において、矢印の向きに吸気フィルタ３を回転させて本体２に取り付けるとき、プッシュスイッチ９及びプッシュスイッチ９を押しこむ凸棒２３がスムーズに接触するように斜めの切欠きを設けるとよい。
【００８３】
このように本体２と吸気フィルタ３の全周に渡って溝を形成する形態以外にも、本体２に対して吸気フィルタ３を例えば４５度など一部回転させ、その回転が止まった部分に吸気フィルタ３側にある爪がスライドできるようにしておき、本体２と吸気フィルタ３が着脱できるようにし、吸気フィルタ３が完全に着脱されるまでに、ファンの回転が止まる構成としてもよい。
【００８４】
〔実施の形態６〕
図１５は、本発明の実施形態６に係るヘアケア装置の本体３とカバー部材である吸気フィルタ３の着脱部に関する側面透視図である。本実施形態では、回転ファン８のモータのトルクを検知してストッパ爪６０が外れることにより、回転ファン８が完全停止された後に吸気フィルタ３を取り外すことができる構造になっている。
【００８５】
図１５（ａ）は、ヘアケア装置１の電源が遮断されている状態である。この場合、ストッパ爪６０は回転軸６１を中心に下がっている、つまり吸気フィルタ３と勘合していないため、吸気フィルタ３は取り外しができる。
【００８６】
ヘアケア装置１の電源をオンにすると、図１５（ｂ）のように回転軸６１を中心にストッパ爪６０が動作し吸気フィルタ３と勘合した状態になる。これにより、吸気フィルタ３の取り外しに制限がかかる。本ストッパ爪６０は、ファンのモータと連動している。詳述すると、本実施形態のヘアケア装置１はファンのモータのトルクを検出するトルク検出器を備えており、トルクがゼロ、または所定の値になったときにファンが停止、または指が触れても怪我をしない程度の回転数になったと判断し、ストッパ爪６０と吸気フィルタ３との勘合を解除する。
【００８７】
このような機構を備えることにより、ヘアケア装置１の電源がオンした状態で吸気フィルタ３を取り外そうとしても、図１５（ｃ）のように吸気フィルタ３の下側は取り外せるが、上側は、回転ファン８のトルクが完全に停止するまでストッパ爪６０が吸気フィルタ３と勘合しているため、完全に取り外すことができない。ここで、図１５（ｃ）のようにプッシュスイッチ９が開放されることで回転ファン８のトルク検知が開始される。回転ファン８が完全に停止し、トルク値が０または所望の数値以下になれば、図１５（ｄ）のように、ストッパ爪６０が回転軸６１を中心として下がる。これにより吸気フィルタ３が完全に取り外せるため、実施形態５と同様に使用者の安全性をより確保できる。
【００８８】
〔実施の形態７〕
図１６は、実施形態７に係る本体２とカバー部材である吸気フィルタ３の着脱部に関する斜面図である。
【００８９】
本実施形態では、実施形態１のプッシュスイッチに代わり、磁石４０を使用した。磁石４０は、マグネットスイッチやリードスイッチと呼ばれる１対の磁石であり、本実施形態では本体２と吸気フィルタ３側（不図示）にそれぞれ磁石４０を配置することにする。一対の磁石４０が接触した状態であればイオン発生器１０などが通電状態となり、本体２から吸気フィルタ３が取り外された状態（磁石４０が非接触）になると一対の磁石４０も離れた状態となりイオン発生器１０などの電源がオフする。
【００９０】
本実施形態によれば、電源遮断手段と、本体２及び吸気フィルタ３との接続手段を兼ねた構造が実現できるため、コストが削減される。
【００９１】
ここで、一対の磁石でなく、片方が通電可能な磁性体でもよい。また、磁石を用いた着脱として、磁気センサを用い、磁石の近接による磁界の変化を利用して、イオン発生器１０等の電源オン・オフを制御してもよい。
【産業上の利用可能性】
【００９２】
本発明は、ヘアケア装置本体の内部にある部品の保守・交換のため、ヘアケア装置本体にある開口部を覆う着脱可能なカバー部材を備えたヘアケア装置に関する。
【符号の説明】
【００９３】
１  ノズル
２  本体（ヘアケア装置本体）
３  吸気フィルタ（カバー部材）
４  ハンドル
５  温風流路
６  冷風流路
７  仕切り板
８  回転ファン
９  プッシュスイッチ
１０  イオン発生器
１１  ＬＥＤ
１２  イオン発生器用基板
１３  低温モード切り替えスイッチ
１４  ターボ機能オン・オフスイッチ
１５  電源スイッチ
１６  針電極
１７  誘導電極
１８  保護機構
１９  ＤＣコネクタ差し込み口
２０  吐出口
２１  凹部
２２  凸部
２３  凸棒
３０  イオン検出装置
４０  磁石
５０  バネ
５１  支持部（イオン発生器固定用）
５２  スライド板
５３  支持用爪（イオン発生器固定用）
６０  ストッパ爪（吸気フィルタ固定用）
６１  回転軸
７０  異物遮蔽部
８０  ネジ溝
【図１】
2013075139.tif 000004
【図２】
2013075139.tif 000005
【図３】
2013075139.tif 000006
【図４】
2013075139.tif 000007
【図５】
2013075139.tif 000008
【図６】
2013075139.tif 000009
【図７】
2013075139.tif 000010
【図８】
2013075139.tif 000011
【図９】
2013075139.tif 000012
【図１０】
2013075139.tif 000013
【図１１】
2013075139.tif 000014
【図１２】
2013075139.tif 000015
【図１３】
2013075139.tif 000016
【図１４】
2013075139.tif 000017
【図１５】
2013075139.tif 000018
【図１６】
2013075139.tif 000019